(57)【要約】【課題】無線ＩＰ端末の所有者が、プレゼンスサーバーに対する登録操作を一々行わなくてもよい無線ＩＰシステムを提供することを目的とする。【解決手段】本発明に係る無線ＩＰシステムは、無線ＩＰ端末１と、無線ＩＰ端末１を収容接続可能な複数のアクセスポイント２ａ，２ｂと、プレゼンスサーバー４と、位置情報管理サーバー３とを備える。位置情報管理サーバー３は、無線ＩＰ端末１を収容接続している一のアクセスポイントの変更に応じて、当該一のアクセスポイントの情報をネットワーク６を介してプレゼンスサーバー４に通知する。プレゼンスサーバー４は、位置情報管理サーバー３から通知された一のアクセスポイントの情報に応じて、当該一のアクセスポイントの情報に予め関連付けたステータス情報に、無線ＩＰ端末１のステータス情報を変更する。【選択図】図１
2009147671.tif 000002
【特許請求の範囲】
【請求項１】
無線ＩＰ端末と、
前記無線ＩＰ端末を収容接続可能な複数のアクセスポイントと、
プレゼンスサーバーと、
位置情報管理サーバーとを備え、
前記位置情報管理サーバーは、
前記無線ＩＰ端末を収容接続している一の前記アクセスポイントの変更に応じて、当該一のアクセスポイントの情報をネットワークを介して前記プレゼンスサーバーに通知し、
前記プレゼンスサーバーは、
前記位置情報管理サーバーから通知された前記一のアクセスポイントの情報に応じて、当該一のアクセスポイントの情報に予め関連付けたステータス情報に、前記無線ＩＰ端末のステータス情報を変更する、
無線ＩＰシステム。
【請求項２】
前記無線ＩＰ端末を収容接続している前記一のアクセスポイントを介して、当該無線ＩＰ端末を制御するＳＩＰサーバーをさらに備え、
前記プレゼンスサーバーは、
前記位置情報管理サーバーから通知された前記一のアクセスポイントの情報に応じて、当該一のアクセスポイントの情報に予め関連付けた制御情報をネットワークを介して前記ＳＩＰサーバーに通知し、
前記ＳＩＰサーバーは、
前記プレゼンスサーバーから通知された前記制御情報に応じて、前記無線ＩＰ端末を制御する、
請求項１に記載の無線ＩＰシステム。
【請求項３】
前記ＳＩＰサーバーは、
前記制御情報に応じて、前記無線ＩＰ端末での着信を制御する、
請求項２に記載の無線ＩＰシステム。
【請求項４】
前記ＳＩＰサーバーは、
前記制御情報に応じて、前記無線ＩＰ端末に対して所定のメッセージを送信する制御を行う、
請求項２または請求項３に記載の無線ＩＰシステム。
【発明の詳細な説明】
【技術分野】
【０００１】
本発明は、無線ＩＰ（Internet Protocol）システムに関するものである。
【背景技術】
【０００２】
無線ＩＰシステムでは、内線端末、例えば、無線ＩＰ端末やＩＰ電話機などの所有者が、その端末を用いて、自己のプレゼンス情報、例えば、「会議中」、「出張中」という情報を入力する。このプレゼンス情報が、プレゼンスサーバーに登録されることにより、無線ＩＰシステムのユーザーは、内線端末の所有者のプレゼンス情報を確認することができる。
【０００３】
このような無線ＩＰシステムについての発明は、特許文献１に記載されたプレゼンス情報管理システムがある。この発明では、ＩＰ電話機に関するプレゼンス情報を管理するという従来の動作に加え、アナログ電話に関するプレゼンス情報を管理する。
【０００４】
また、無線ＩＰ端末の現在位置に関わる無線アクセスポイントを監視するアクセスポイント監視手段を有し、アクセスポイント監視手段において、無線ＩＰ端末の無線アクセスポイントが特定アクセスポイントか否かを判定する。そして、無線ＩＰ端末の無線アクセスポイントが、特定アクセスポイントであると判定された場合には、サーバー側管理手段に登録管理中の当該無線ＩＰ端末のプレゼンス情報を、着信応答不可状態に変更登録する。
【０００５】
【特許文献１】特開２００７−１５０４４２号公報
【発明の開示】
【発明が解決しようとする課題】
【０００６】
しかしながら、特許文献１に記載のシステムでは、特定アクセスポイントにおいてプレゼンス情報を着信応答不可状態に変更するが、その更新は、無線ＩＰ端末を操作しないと正確に登録されない。これを怠ると、更新されずに誤った内容が登録され続けるという問題があった。また、上記のようにプレゼンス情報を着信応答不可状態に変更した場合であっても、無線ＩＰシステムのユーザーが、プレゼンス情報を確認せずに無線ＩＰ端末に呼び出しを要求した場合、無線ＩＰ端末の所有者の居場所と無関係に、無線ＩＰ端末を呼び出すという問題があった。
【０００７】
本発明は、上記のような問題点を解決するためになされたものであり、無線ＩＰ端末の所有者が、プレゼンスサーバーに対する登録操作を一々行わなくてもよい無線ＩＰシステムを提供することを目的とする。
【課題を解決するための手段】
【０００８】
本発明に係る無線ＩＰシステムは、無線ＩＰ端末と、前記無線ＩＰ端末を収容接続可能な複数のアクセスポイントと、プレゼンスサーバーと、位置情報管理サーバーとを備える。前記位置情報管理サーバーは、前記無線ＩＰ端末を収容接続している一の前記アクセスポイントの情報をネットワークを介して前記プレゼンスサーバーに通知する。前記プレゼンスサーバーは、前記位置情報管理サーバーから通知された前記一のアクセスポイントの情報に応じて、当該一のアクセスポイントの情報に予め関連付けたステータス情報に、前記無線ＩＰ端末のステータス情報を変更する。
【発明の効果】
【０００９】
本発明の無線ＩＰシステムによれば、無線ＩＰ端末の所有者が、プレゼンスサーバーに対する登録操作を一々行わなくても、無線ＩＰ端末を収容接続するアクセスポイントが変わるごとに、自動的に当該登録を変更することができる。
【発明を実施するための最良の形態】
【００１０】
＜実施の形態１＞
本実施の形態に係る無線ＩＰシステムは、例えば、オフィスや工場に用い、無線ＩＰ端末の所有者が一々プレゼンスサーバーに登録操作を行わなくても、無線ＩＰシステムのユーザーが、無線ＩＰ端末の所有者のリアルタイムのステータス情報を確認可能にすることを想定している。図１は、本実施の形態に係る無線ＩＰシステムの構成を示す図である。本実施の形態に係る無線ＩＰシステムは、無線ＩＰ端末１と、ＡＰ（アクセスポイント）２ａ，２ｂ，２ｃからなる複数のＡＰと、位置情報管理サーバー３と、プレゼンスサーバー４と、ＳＩＰ（Session Initiation Protocol）サーバー５とを備える。図に示すように、これらは互いにネットワーク６を介して接続されている。なお、この図では、簡単のため、ＡＰ２ｃの図示は省略している。
【００１１】
複数のＡＰ２ａ，２ｂ，２ｃは、無線ＩＰ端末１を収容接続可能である。本実施の形態では、ＳＩＰサーバー５は、無線ＩＰ端末１を収容接続している一のＡＰを介して、当該無線ＩＰ端末１を制御する。位置情報管理サーバー３は、無線ＩＰ端末１を収容接続しているＡＰの情報を管理する。この位置情報管理サーバー３は、無線ＩＰ端末１を収容接続している一のＡＰの変更に応じて、当該一のＡＰの情報をネットワーク６を介してプレゼンスサーバー４に通知する。本実施の形態では、無線ＩＰ端末１を収容接続している一のＡＰの情報は、ＳＩＰサーバー５から、位置情報管理サーバー３を経由して、プレゼンスサーバー４へ通知される。
【００１２】
図２は、本実施の形態に係るプレゼンスサーバー４の構成を示す図である。図に示すように、本実施の形態に係るプレゼンスサーバー４は、位置情報取得部７と、ステータス管理部８と、無線ＩＰ端末管理部９と、プレゼンス情報管理部１０とを備える。
【００１３】
位置情報取得部７は、位置情報管理サーバー３から通知されたＡＰの情報をネットワーク６を介して取得する。無線ＩＰ端末管理部９は、無線ＩＰ端末１ごとに前記取得したＡＰの情報を登録管理する。ステータス管理部８は、図３に示すように、ＡＰの情報と予め関連付けたステータス情報を管理している。本実施の形態では、ＡＰ２ａは事務所、ＡＰ２ｂは会議室、ＡＰ２ｃはリフレッシュルームに配置されているものとし、ステータス情報は、ＡＰが配置された場所の情報であるものとする。
【００１４】
プレゼンス情報管理部１０は、ステータス管理部８および無線ＩＰ端末管理部９に登録管理された情報に基づいて、図４に示すように、無線ＩＰ端末１ごとのステータス情報を登録する。この図４において、内線番号とは、無線ＩＰ端末１ごとに割り当てられた番号である。無線ＩＰシステムのユーザーは、プレゼンス情報管理部１０で登録したステータス情報、つまり、図４に示す無線ＩＰ端末１のステータス情報を確認することにより、無線ＩＰ端末１の所有者のステータス情報を確認することができる。
【００１５】
本実施の形態では、プレゼンスサーバー４は、位置情報管理サーバー３から通知された一のＡＰの情報に応じて、当該一のＡＰの情報に予め関連付けたステータス情報に、無線ＩＰ端末１のステータス情報を変更する。本実施の形態では、ＡＰの情報に関連付けたステータス情報とは、ステータス管理部８で管理されているテータス情報、つまり、図３に示したステータス情報である。また、本実施の形態では、無線ＩＰ端末１のステータス情報とは、プレゼンス情報管理部１０で登録したステータス情報、つまり、図４に示したステータス情報である。
【００１６】
次に、このような構成からなる本実施の形態に係る無線ＩＰシステムの動作について説明する。ここでは、内線番号「３０００」の無線ＩＰ端末１に対する動作について説明する。まず、図４（ａ）に示すように、無線ＩＰ端末１のステータス情報、つまり、プレゼンス情報管理部１０に登録されているステータス情報は、「事務所」であるものとする。
【００１７】
この場合に、内線番号「３０００」が割り当てられた無線ＩＰ端末１の所有者が移動し、無線ＩＰ端末１を収容接続するＡＰが、ＡＰ２ａからＡＰ２ｂに移行したとする。そうすると、位置情報管理サーバー３は、無線ＩＰ端末１を収容接続しているＡＰ２ｂの情報をネットワーク６を介してプレゼンスサーバー４に通知する。プレゼンスサーバー４は、位置情報取得部７より、ＡＰ２ｂの情報を取得する。そして、プレゼンスサーバー４は、位置情報管理サーバー３から通知されたＡＰ２ｂの情報に応じて、プレゼンス情報管理部１０で管理するステータス情報「事務所」（図４（ａ））を、当該ＡＰ２ｂの情報に関連付けたステータス情報「会議室」（図４（ｂ））に変更する。
【００１８】
以上の動作を行う本実施の形態に係る無線ＩＰシステムによれば、無線ＩＰ端末１の所有者が、一々プレゼンスサーバー４に対する登録操作を行わなくても、無線ＩＰ端末１を収容接続するＡＰが変わるごとに、無線ＩＰ端末１のステータス情報を自動的に変更することができる。こうして、無線ＩＰシステムのユーザーは、無線ＩＰ端末１のステータス情報を確認することにより、当該無線ＩＰ端末１の所有者のリアルタイムのステータス情報を確認することができる。また、ステータス管理部８で管理しているステータス情報を、無線ＩＰシステムから登録、変更できるようにすれば、ＡＰ２ａ，２ｂ，２ｃのレイアウト変更などがあった場合に、容易に対応することが可能となる。
【００１９】
なお、本実施の形態では、内線番号「３０００」が割り当てられた無線ＩＰ端末１について説明したが、その他の内線番号が割り当てられた無線ＩＰ端末それぞれに対しても上記と同じ動作を行い、その無線ＩＰ端末のステータス情報を変更するものであってもよい。
【００２０】
＜実施の形態２＞
本実施の形態に係る無線ＩＰシステムの構成は、実施の形態１と同じである。本実施の形態に係る無線ＩＰシステムの構成のうち、実施の形態１と同一の構成については、同一の符号を付すものとし、新たに説明しない構成については、実施の形態１と同じであるものとする。
【００２１】
図２に示したステータス管理部８は、本実施の形態では、図５に示すように、無線ＩＰ端末１ごとに、ＡＰの情報に予め関連付けた制御情報を管理している。この図では、一例として内線番号「３０００」が割り当てられた無線ＩＰ端末１について示されている。制御情報は、本実施の形態では、無線ＩＰ端末１での着信可否に関する制御情報である。
【００２２】
プレゼンスサーバー４は、位置情報管理サーバー３から一のＡＰの情報が通知された場合、ステータス管理部８を確認する。そして、本実施の形態に係るプレゼンスサーバー４は、位置情報管理サーバー３から通知された一のＡＰの情報に応じて、当該一のＡＰの情報に関連付けた制御情報をネットワーク６を介してＳＩＰサーバー５に通知する。
【００２３】
ＳＩＰサーバー５は、実施の形態１と同様、無線ＩＰ端末１を収容接続している一のＡＰを介して、当該無線ＩＰ端末１を制御する。本実施の形態では、ＳＩＰサーバー５は、プレゼンスサーバー４から通知された制御情報に応じて、無線ＩＰ端末１を制御する。本実施の形態では、ＳＩＰサーバー５は、制御情報に応じて、無線ＩＰ端末１での着信を制御する。
【００２４】
このような構成からなる本実施の形態に係る無線ＩＰシステムの動作について、以下説明する。ここでも、内線番号「３０００」の無線ＩＰ端末１に対する動作について説明する。まず、内線番号「３０００」が割り当てられた無線ＩＰ端末１は、ＡＰ２ａに収容接続されているものとする。
【００２５】
この場合に、内線番号「３０００」が割り当てられた無線ＩＰ端末１の所有者が移動し、無線ＩＰ端末１を収容接続するＡＰが、ＡＰ２ａからＡＰ２ｂに移行したとする。そうすると、位置情報管理サーバー３は、無線ＩＰ端末１を収容接続しているＡＰ２ｂの情報をネットワーク６を介してプレゼンスサーバー４に通知する。プレゼンスサーバー４は、位置情報取得部７において、ＡＰ２ｂの情報を取得する。
【００２６】
そして、プレゼンスサーバー４は、位置情報管理サーバー３から通知されたＡＰ２ｂの情報に応じて、当該ＡＰ２ｂの情報に関連付けた制御情報「着信不可」をネットワーク６を介してＳＩＰサーバー５に通知する。ＳＩＰサーバー５は、プレゼンスサーバー４からの制御情報「着信不可」に応じて、無線ＩＰ端末１が着信拒否状態となるように制御する。一方、無線ＩＰ端末１が、再びＡＰ２ａに収容接続されると、ＳＩＰサーバー５は、プレゼンスサーバー４からの制御情報「着信可」に応じて、無線ＩＰ端末１が着信可能状態となるように制御する。
【００２７】
以上の動作を行う本実施の形態に係る無線ＩＰシステムによれば、実施の形態１の効果に加え、ステータス管理部８で無線ＩＰ端末１を着信不可と設定したＡＰ付近に、無線ＩＰ端末１の所有者がいる場合には、無線ＩＰ端末１での着信を自動的に着信拒否にすることができる。これにより、無線ＩＰ端末１の所有者が、呼び出しが好ましくない場所、例えば、会議室にいる場合に、その所有者が、無線ＩＰ端末１の電源をオフにしたり、マナーモードに設定したりしなくても、無線ＩＰ端末１での着信を自動的に着信拒否にすることができる。また、無線ＩＰシステムのユーザーが、プレゼンス情報を確認せずに無線ＩＰ端末１に呼び出しを要求しても、無線ＩＰ端末１において確実に着信拒否にすることができる。
【００２８】
なお、無線ＩＰ端末１が着信拒否となっている場合に、無線ＩＰシステムのユーザーに対して、着信拒否のメッセージを送出する構成であってもよい。このような構成とすることにより、無線ＩＰシステムのユーザーは、通信できない理由を知ることができる。
【００２９】
＜実施の形態３＞
実施の形態２の無線ＩＰシステムでは、無線ＩＰ端末１を収容接続する一のＡＰの情報を制御情報と予め関連付けた。そして、ＳＩＰサーバー５が、プレゼンスサーバー４からの制御情報に応じて、無線ＩＰ端末１の着信を制御するものであった。本実施の形態に係る無線ＩＰシステムでは、その制御と合わせて、所定のメッセージを無線ＩＰ端末１に送信する制御を行うことにより、無線ＩＰ端末１の所有者が、着信要求があったことを知ることができることを目的にする。本実施の形態に係る無線ＩＰシステムの構成のうち、実施の形態２と同一の構成については、同一の符号を付すものとし、新たに説明しない構成については、実施の形態１と同じであるものとする。
【００３０】
図２に示したステータス管理部８は、本実施の形態では、図６に示すように、無線ＩＰ端末１ごとに、ＡＰの情報に予め関連付けた制御情報を管理している。この図では、一例として内線番号「３０００」が割り当てられた無線ＩＰ端末１について示されている。図に示すように、制御情報は、本実施の形態では、無線ＩＰ端末１での着信可否に関する制御情報と、無線ＩＰ端末１に対する所定のメッセージの送信可否に関する制御情報である。
【００３１】
プレゼンスサーバー４は、位置情報管理サーバー３から一のＡＰの情報が通知された場合、ステータス管理部８を確認する。そして、本実施の形態に係るプレゼンスサーバー４は、位置情報管理サーバー３から通知された一のＡＰの情報に応じて、当該一のＡＰの情報に関連付けた制御情報をネットワーク６を介してＳＩＰサーバー５に通知する。
【００３２】
ＳＩＰサーバー５は、実施の形態１と同様、無線ＩＰ端末１を収容接続している一のＡＰを介して、当該無線ＩＰ端末１を制御する。ＳＩＰサーバー５は、プレゼンスサーバー４から通知された制御情報に応じて、無線ＩＰ端末１を制御する。本実施の形態に係るＳＩＰサーバー５は、実施の形態２の動作に加え、無線ＩＰ端末１に対して所定のメッセージを送信する制御を行う。所定のメッセージとしては、例えば、呼び出し元の内線番号、呼び出し時の時間を含むメッセージが該当する。
【００３３】
以上の構成からなる本実施の形態に係る無線ＩＰシステムによれば、実施の形態１，２の効果に加え、所定のメッセージを無線ＩＰ端末１に送信する制御を行う。これにより、無線ＩＰ端末１の所有者は、着信要求があったことを知ることができる。
【図面の簡単な説明】
【００３４】
【図１】実施の形態１に係る無線ＩＰシステムの構成を示す図である。
【図２】実施の形態１に係る無線ＩＰシステムのプレゼンスサーバーの構成を示すブロック図である。
【図３】実施の形態１に係る無線ＩＰシステムのステータス管理部に管理されたステータス情報を示す図である。
【図４】実施の形態１に係る無線ＩＰシステムの動作を示す図である。
【図５】実施の形態２に係る無線ＩＰシステムのステータス管理部に管理された制御情報を示す図である。
【図６】実施の形態３に係る無線ＩＰシステムのステータス管理部に管理された制御情報を示す図である。
【符号の説明】
【００３５】
１  無線ＩＰ端末、２ａ，２ｂ，２ｃ  アクセスポイント、３  位置情報管理サーバー、４  プレゼンスサーバー、５  ＳＩＰサーバー、６  ネットワーク、７  位置情報取得部、８  ステータス管理部、９  無線ＩＰ端末管理部、１０  プレゼンス情報管理部。
【図１】
2009147671.tif 000003
【図２】
2009147671.tif 000004
【図３】
2009147671.tif 000005
【図４】
2009147671.tif 000006
【図５】
2009147671.tif 000007
【図６】
2009147671.tif 000008